(57)【要約】【課題】速い動きの映像を表示した場合に発生する妨害による表示品質の低下を緩和することができる表示制御装置および表示制御装置の制御方法を提供する。【解決手段】スクリーン２１の透過状態と散乱状態とを切り替え制御を行うタイミング制御装置３１と、スクリーン２１に映像を投影する液晶プロジェクタ１１の投影光を、映像の１映像周期より短い時間、散乱状態に同期してスクリーン２１に投影するように制御するシャッター５１と、を有している。そして、シャッター５１は、液晶プロジェクタ１１の液晶パネルの情報保持期間内に、前記スクリーン２１に映像を投影させる。【選択図】図６
2016171367.tif 000002
【特許請求の範囲】
【請求項１】
光に対して透過状態と散乱状態とを切り替え可能なスクリーンの前記透過状態と前記散乱状態との切り替え制御を行うスクリーン制御部と、
前記スクリーンに映像を投影する液晶プロジェクタの投影光を、前記映像の１映像周期より短い時間、前記散乱状態に同期して前記スクリーンに投影するように制御する投影光制御部と、を有し、
前記投影光制御部は、前記液晶プロジェクタの液晶パネルの映像情報書き換えが行われていない期間内に、前記スクリーンに前記映像を投影させることを特徴とする表示制御装置。
【請求項２】
前記映像の同期に関する信号を取得する同期信号取得部と、を更に有し、
前記投影光制御部は、前記同期信号取得部が取得した前記映像同期に関する信号から前記液晶パネルの映像情報書き換えが終了するまでの期間経過後に前記映像を投影することを特徴とする請求項１に記載の表示制御装置。
【請求項３】
前記液晶パネルの映像情報書き換えが行われていない期間は、前記同期信号取得部が取得した前記映像の同期に関する信号と次の前記映像の同期に関する信号との間で前記映像情報が変化しない期間であることを特徴とする請求項２に記載の表示制御装置。
【請求項４】
前記投影光制御部は、シャッターを含み、前記液晶パネルの映像情報書き換えが行われていない期間に前記シャッターを開制御することで前記映像を投影することを特徴とする請求項１乃至３のうちいずれか一項に記載の表示制御装置。
【請求項５】
前記投影光制御部は、前記液晶パネルの映像情報書き換えが行われていない期間に前記液晶プロジェクタの光源を点灯させるように制御することで前記映像を投影することを特徴とする請求項１乃至３のうちいずれか一項に記載の表示制御装置。
【請求項６】
光に対して透過状態と散乱状態とを切り替え可能なスクリーンの前記透過状態と前記散乱状態との切り替え制御を行うスクリーン制御部を有する表示制御装置の制御方法であって、
前記スクリーンに映像を投影する液晶プロジェクタの投影光を、前記映像の１映像周期より短い時間、前記散乱状態に同期して前記スクリーンに投影するように制御する投影光制御工程を含み、
前記投影光制御工程は、前記液晶プロジェクタの液晶パネルの映像情報書き換えが行われていない期間内に、前記映像を投影することを特徴とする表示制御装置の制御方法。
【請求項７】
光に対して透過状態と散乱状態とを切り替え可能なスクリーンの前記透過状態と前記散乱状態との切り替え制御を行うスクリーン制御部と、
前記スクリーンに映像を投影する液晶プロジェクタの投影光を、前記映像の１映像周期より短い時間、前記散乱状態に同期して前記スクリーンに投影するように制御する投影光制御部と、を有し、
前記投影光制御部は、前記液晶プロジェクタの液晶パネルの映像情報書き換えが行われていない期間を全て含む期間に、前記映像を投影することを特徴とする表示制御装置。
【請求項８】
光に対して透過状態と散乱状態とを切り替え可能なスクリーンの前記透過状態と前記散乱状態との切り替え制御を行うスクリーン制御部を有する表示制御装置の制御方法であって、
前記スクリーンに映像を投影する液晶プロジェクタの投影光を、前記映像の１映像周期より短い時間、前記散乱状態に同期して前記スクリーンに投影するように制御する投影光制御工程を含み、
前記投影光制御工程は、前記液晶プロジェクタの液晶パネルの映像情報書き換えが行われていない期間を全て含む期間に、前記映像を投影することを特徴とする表示制御装置の制御方法。
【発明の詳細な説明】
【技術分野】
【０００１】
本発明は、映像表示の制御をする表示制御装置および表示制御装置の制御方法に関する。
【背景技術】
【０００２】
従来からプロジェクタ等の光源からの投影映像をスクリーンに投影して映像を表示する表示装置が知られている。
【０００３】
例えば特許文献１には、光線透過状態と光線散乱状態とをとることができる液晶層が透明な一対の電極付基板間に挟持されてなるスクリーンと、画像を前記スクリーンに投射する画像投射装置とが備えられた画像表示装置において、光線透過状態と光線散乱状態との組みの繰り返しの最小単位よりなるフレームが所定の関係を満たすようにして表示する画像表示装置が記載されている。
【先行技術文献】
【特許文献】
【０００４】
【特許文献１】特開２００４−１８４９７９号公報
【発明の概要】
【発明が解決しようとする課題】
【０００５】
特許文献１に記載されたような画像表示装置において、投影装置として液晶プロジェクタを使用した場合、動きが速い映像を投影すると、図１に示したような妨害が発生する場合があった。図１に示した妨害は、矢印で示した位置を境界として映像がずれて見える。
【０００６】
このような妨害は、液晶プロジェクタ内の液晶パネルにおいて映像情報の書き換え期間にスクリーンへ投影すると発生する。詳細を図２を参照して説明する。図２は、液晶プロジェクタへ入力される同期信号と、液晶パネルの映像情報書き換えと保持期間を示した図である。
【０００７】
図２に示したように、液晶プロジェクタは、例えば入力同期信号が入力されると液晶パネルに表示する映像情報が線順次で書き換えられる。この映像情報は次の入力同期信号まで保持される。そして、次の入力同期信号が入力されると、同様に液晶パネルに表示する映像情報が線順次で書き換えられる。この書き換え期間（図２の情報書き換え期間）は、液晶パネルに前の映像と書き換え中の映像とが混在する状態であり、この期間にスクリーンへの投影を行うと、動きが速い映像の場合、図１のような妨害が発生してしまうことがあった。
【０００８】
そこで、本発明は、上述した問題に鑑み、例えば、速い動きの映像を表示した場合に発生する妨害による表示品質の低下を緩和することができる表示制御装置および表示制御装置の制御方法を提供することを目的とする。
【課題を解決するための手段】
【０００９】
上記課題を解決するために、請求項１に記載された発明は、光に対して透過状態と散乱状態とを切り替え可能なスクリーンの前記透過状態と前記散乱状態との切り替え制御を行うスクリーン制御部と、前記スクリーンに映像を投影する液晶プロジェクタの投影光を、前記映像の１映像周期より短い時間、前記散乱状態に同期して前記スクリーンに投影するように制御する投影光制御部と、を有し、前記投影光制御部は、前記液晶プロジェクタの液晶パネルの映像情報書き換えが行われていない期間内に、前記スクリーンに前記映像を投影させることを特徴とする表示制御装置である。
【００１０】
請求項６に記載された発明は、光に対して透過状態と散乱状態とを切り替え可能なスクリーンの前記透過状態と前記散乱状態とを切り替え制御を行うスクリーン制御部を有する表示制御装置の制御方法であって、前記スクリーンに映像を投影する液晶プロジェクタの投影光を、前記映像の１映像周期より短い時間、前記散乱状態に同期して前記スクリーンに投影するように制御する投影光制御工程を含み、前記投影光制御工程は、前記液晶プロジェクタの液晶パネルの映像情報書き換えが行われていない期間内に、前記映像を投影することを特徴とする表示制御装置の制御方法である。
【００１１】
請求項７に記載された発明は、光に対して透過状態と散乱状態とを切り替え可能なスクリーンの前記透過状態と前記散乱状態とを切り替え制御を行うスクリーン制御部と、前記スクリーンに映像を投影する液晶プロジェクタの投影光を、前記映像の１映像周期より短い時間、前記散乱状態に同期して前記スクリーンに投影するように制御する投影光制御部と、を有し、前記投影光制御部は、前記液晶プロジェクタの液晶パネルの映像情報書き換えが行われていない期間を全て含む期間に、前記映像を投影することを特徴とする表示制御装置である。
【００１２】
請求項８に記載された発明は、光に対して透過状態と散乱状態とを切り替え可能なスクリーンの前記透過状態と前記散乱状態とを切り替え制御を行うスクリーン制御部を有する表示制御装置の制御方法であって、前記スクリーンに映像を投影する液晶プロジェクタの投影光を、前記映像の１映像周期より短い時間、前記散乱状態に同期して前記スクリーンに投影するように制御する投影光制御工程と、前記投影光制御工程は、前記液晶プロジェクタの液晶パネルの映像情報書き換えが行われていない期間を全て含む期間に、前記映像を投影することを特徴とする表示制御装置の制御方法である。
【図面の簡単な説明】
【００１３】
【図１】従来技術にかかる表示装置で発生する妨害の例を示した説明図である。
【図２】従来技術にかかる表示装置で使用される液晶プロジェクタの液晶パネルの映像情報書き換えと情報保持のタイミングを示したタイミングチャートである。
【図３】本発明の第１の実施例にかかる表示制御装置を備えた表示装置の概略構成図である。
【図４】図３に示されたスクリーンの模式的な断面図である。
【図５】図３に示された表示装置の基本的なタイミングチャートである。
【図６】図３に示されたタイミング制御装置におけるシャッター制御のタイミングを示すタイミングチャートである。
【図７】図３に示されたタイミング制御装置の動作を示したフローチャートである。
【図８】倍速駆動の液晶プロジェクタを使用した場合におけるシャッター制御のタイミングを示すタイミングチャートである。
【図９】本発明の第２の実施例にかかる表示制御装置におけるシャッター制御のタイミングを示すタイミングチャートである。
【発明を実施するための形態】
【００１４】
以下、本発明の一実施形態にかかる表示制御装置を説明する。本発明の一実施形態にかかる表示制御装置は、光に対して透過状態と散乱状態とを切り替え可能なスクリーンの、透過状態と散乱状態との切り替え制御を行うスクリーン制御部を有している。更に、スクリーンに映像を投影する液晶プロジェクタの投影光を、映像の１映像周期より短い時間、散乱状態に同期してスクリーンに投影するように制御する投影光制御部を有している。そして、投影光制御部は、液晶プロジェクタの液晶パネルの映像情報書き換えが行われていない期間内に、スクリーンに映像を投影させる。このようにすることにより、映像書き換え期間に投影しないので、動きの速い映像を表示させた場合でも、図１に示したような妨害の発生を抑制して表示品質の低下を緩和することができる。
【００１５】
また、映像の同期に関する信号を取得する同期信号取得部と、を更に有し、投影光制御部は、同期信号取得部が取得した映像同期に関する信号から液晶パネルの映像情報書き換えが終了するまでの期間経過後に映像を投影してもよい。このようにすることにより、同期信号に基づいて液晶パネルの映像情報書き換えが行われていない期間を特定することができ、例えばタイマ等で容易に映像の投影タイミングを求めることができる。
【００１６】
また、液晶パネルの映像情報書き換えが行われていない期間は、同期信号取得部が取得した映像の同期に関する信号と次の映像の同期に関する信号との間で映像情報が変化しない期間であってもよい。このようにすることにより、例えば倍速駆動など、同期信号に同期して入力された映像情報を１映像周期に複数回書き込むように動作させた場合に、当該複数回書き込み期間も液晶パネルの映像情報書き換えが行われていない期間とすることができる。
【００１７】
また、投影光制御部は、シャッターを含み、液晶パネルの映像情報書き換えが行われていない期間にシャッターを開制御することで映像を投影するようにしてもよい。このようにすることにより、機械式や液晶式等のシャッターの開閉を制御することで、映像の投影制御をすることができる。したがって、既存のプロジェクタ等を容易に利用することができる。
【００１８】
また、液晶パネルの映像情報書き換えが行われていない期間に液晶プロジェクタの光源を点灯させるように制御してもよい。このようにすることにより、液晶プレジェクタを直接制御することで映像の投影制御をすることができる。したがって、外付けの部品等が不要となる。
【００１９】
また、本発明の一実施形態にかかる表示制御装置の制御方法は、スクリーンに映像を投影する液晶プロジェクタの投影光を、映像の１映像周期より短い時間、散乱状態に同期してスクリーンに投影するように制御する投影光制御工程を含む。この投影光制御工程は、液晶プロジェクタの液晶パネルの映像情報書き換えが行われていない期間内に映像を投影する。このようにすることにより、映像書き換え期間に投影しないので、動きの速い映像を表示させた場合でも、図１に示したような妨害の発生を抑制して表示品質の低下を緩和することができる。
【００２０】
また、本発明の他の一実施形態にかかる表示制御装置は、光に対して透過状態と散乱状態とを切り替え可能なスクリーンの、透過状態と散乱状態との切り替え制御を行うスクリーン制御部を有している。更に、液晶プロジェクタの液晶パネルの映像情報書き換えが行われていない期間を全て含む期間に、映像を投影する投影光制御部を有している。このようにすることにより、液晶パネルの映像情報書き換えが行われていない期間を全て含むようにすることができる。この場合、映像の書き換え期間を投影期間に含む場合があるが、その場合でも、画面の中央周辺に図１に示したような妨害を表示させないようにすることができ、前記妨害を目立たせないようにして表示品質の低下を緩和することができる。
【００２１】
また、本発明の他の一実施形態にかかる表示制御装置の制御方法は、スクリーンに映像を投影する液晶プロジェクタの投影光を、映像の１映像周期より短い時間、散乱状態に同期してスクリーンに投影するように制御する投影光制御工程を含む。この投影光制御工程は、、液晶プロジェクタの液晶パネルの映像情報書き換えが行われていない期間を全て含む期間に、映像を投影する。このようにすることにより、液晶パネルの映像情報書き換えが行われていない期間を全て含むようにすることができる。この場合、映像の書き換え期間を投影期間に含む場合があるが、その場合でも、画面の中央周辺に図１に示したような妨害を表示させないようにすることができ、前記妨害を目立たせないようにして表示品質の低下を緩和することができる。
【実施例１】
【００２２】
本発明の第１の実施例にかかる表示制御装置２を備えた表示装置１を図３乃至図８を参照して説明する。表示装置１は図３に示すように、表示制御装置２と、液晶プロジェクタ１１と、スクリーン２１と、映像信号／同期信号分離装置４１と、を有している。表示装置１は、液晶プロジェクタ１１から出射した映像光（投影光）を投射（投影）して、スクリーン２１（投影面）で透過散乱する透過型プロジェクション装置である。
【００２３】
液晶プロジェクタ１１は、スクリーン２１の実体展示物７１側に配置されている。液晶プロジェクタ１１は、光源からの光を入力された映像情報に基づいて変調して光学系を通して投影する周知の方式のプロジェクタである。なお、液晶プロジェクタ１１としては、透過型の液晶パネルを用いたもののほか、ＬＣＯＳ（反射型液晶素子）を用いたものであってもよい。
【００２４】
次に、図４に、光学状態を制御可能なスクリーン２１の模式的な断面図を示す。図４に示したスクリーン２１は、一対の透明なガラス基板２３、２４の間に液晶を含む複合材料を挟み込んだ光学層である調光部２５を有する。一方のガラス基板２４の調光部２５側には、全面に対向電極２６が形成される。他方のガラス基板２３の調光部２５側には、全面に制御電極２７が形成される。なお、電極２６、２７と調光部２５との間に、絶縁体からなる中間層を形成してもよい。
【００２５】
スクリーン２１は、電圧の印加により光学状態を変化できる素子や材料により構成された調光部２５を備えている。調光部２５の光学状態は、散乱状態が映像を表示する状態であり、それよりも入射光の散乱が小さく且つ光線の直線透過率が高い透明な透過状態が映像を表示しない非映像表示状態である。調光部２５は、対向電極２６と制御電極２７との間に配置される。即ち、調光部２５は、２つの電極間に挟持され、２つの電極間に印加された電圧によって光学状態を透過状態と散乱状態とに切り替え可能である。
【００２６】
調光部２５には、光学状態を散乱状態と透明状態とを切り替えることができるもの、例えば、高分子中にネマティック液晶ドメインを分布させた所謂高分子分散液晶（ＰＤＬＣ）を用いることができる。また、電圧を印加しない状態において高分子ネットワークがドメインを形成する液晶分子の配向と関連付けられている複合材料を用いれば、より良好な光学状態を実現できる。
【００２７】
ＰＤＬＣを用いた例としては、光重合性モノマー、ネマティック液晶及び重合開始材料を適量混合し、調光部材を構成するガラスや樹脂の５から５０マイクロメートル程度の基板間に配置せしめ、モノマーと液晶が相分離する温度など条件において紫外線を照射することで、高分子中に液晶ドメインを分散させることができる。この場合、通常電圧を印加しない場合に高分子と液晶の屈折率差による散乱が大きく、電場により液晶を配列させた場合に基板法線方向の屈折率差が小さくなるように設計され、ノーマルモードと呼ばれる。この他、ネマティック液晶を含むカプセルをモノマー及び重合開始剤と混合したものを用いることもできる。
【００２８】
電圧を印加しない状態において高分子ネットワークがドメインを形成する液晶分子の配向と関連付けられている複合材料としては、光重合性モノマーが液晶の性質を保有している。基板はラビングなど配向処理がなされ、基板間に配置された混合材料は配向処理に基づいた配列をもつ。この状態で紫外線を照射することで、電圧を印加しない場合に上記初期配列となり、電圧を印加することで液晶ドメインと高分子との屈折率差が生じることで散乱を生じる。なお一方向配列とした場合はこの配向に依存した光学特性を有するが、カイラル材を添加し初期配列にねじれを与えることで、入射光の偏光に依存しない光学特性としたものを用いることもできる。この場合、通常電圧を印加しない場合に高分子と液晶の屈折率差による散乱が小さく、電場により液晶を配列させた場合に屈折率差が大きくなるように設計され、リバースモードと呼ばれる。
【００２９】
即ち、ノーマルモードでは、電極間に所定の電圧を印加した場合に透過状態となり、電極間に電圧を印加しない場合に散乱状態となる。また、リバースモードでは、電極間に所定の電圧を印加した場合に散乱状態となり、電極間に電圧を印加しない場合に透過状態となる。本実施例では、ノーマルモード、リバースモードのいずれであっても適用可能である。
【００３０】
対向電極２６と制御電極２７は、たとえばＩＴＯ（酸化インジウム・スズ）により、透明電極として形成される。
【００３１】
スクリーン２１の一方側に位置する観察者６１からは、スクリーン２１の調光部２５が散乱状態の場合は、スクリーン２１は例えば白濁したように見える。一方、調光部２５が透過状態の場合は、スクリーン２１は透過状態のため、スクリーン２１越しに実体展示物７１を観察することができる。したがって、調光部２５が散乱状態の場合にはスクリーン２１に液晶プロジェクタ１１から投影される映像が表示でき、透過状態の場合はスクリーン２１は、実体展示物７１を認識しうる透明さを有する。
【００３２】
スクリーン２１は、制御電極２７と対向電極２６との間に電位差を生じるように電圧が印加される。駆動波形（駆動電圧波形）としては、たとえば、一方の電極を直流状態（基準電圧、例えば０ボルト）として、他方の電極に交流電圧を印加するようにしてもよいし、双方の電極に位相が反転した交流電圧を印加して電位差が生じるようにしてもよい。即ち、制御電極２７と対向電極２６との間に電位差を生じるように電圧が印加されると、スクリーン２１がノーマルモードの場合は透過状態になり、リバースモードの場合は散乱状態になる。
【００３３】
映像信号／同期信号分離装置４１は、入力された映像信号（映像情報）から例えば垂直同期信号等の１映像周期を示す同期信号を分離する。即ち、垂直同期信号等が映像の周期に関する信号に相当する。分離した同期信号は、タイミング制御装置３１に出力する。また、入力された映像信号はそのまま液晶プロジェクタ１１に出力する。なお、液晶プロジェクタ１１に出力する映像信号とタイミングは、制御装置３１に出力する同期信号のタイミングと合わせることが好ましい。
【００３４】
表示制御装置２は、タイミング制御装置３１と、シャッター５１と、を有している。
【００３５】
スクリーン制御部、投影光制御部、同期信号取得部としてのタイミング制御装置３１は、映像信号／同期信号分離装置４１から入力された同期信号（例えば垂直同期信号）に基づいて、映像光が投影されるスクリーン２１の調光部２５を、透過状態または散乱状態に制御するとともに、シャッター５１の開閉を制御する。例えば、液晶プロジェクタ１１の液晶パネルの映像情報書き換えが行われていない期間を実験等により求め、同期信号からその求めた期間分経過後にシャッターの開制御を行う。
【００３６】
なお、タイミング制御装置３１は、ＣＰＵ（Central Processing Unit）やメモリ等を備え、プログラムにより動作が制御されるコンピュータで構成されてもよいし、ＡＳＩＣ（Application Specific Integrated Circuit）などから構成された専用のハードウェアでもよい。
【００３７】
投影光制御部としてのシャッター５１は、例えば、一部分が透明な黒色円板を回転させる光チョッパー式などで構成された機械式シャッターとその円盤を回転させる駆動装置等を含んでいる。そして、機械式シャッターの部分が液晶プロジェクタ１１の投影光が出射されるレンズ等の前面に設けられている。シャッター５１は、液晶プロジェクタ１１とスクリーン２１の間に配置され、タイミング制御装置３１により開閉（透明部分か黒色部分か）制御されることによって液晶プロジェクタ１１が出射する投影光の透過または遮断の制御を行う。なお、シャッター５１は、光チョッパー式に限らず、例えば、１枚ないし複数枚のシャッター羽根により光路を開閉する方式など、開閉制御されることによって投影光の透過または遮断が制御できるものであれば他の方式の機械式シャッターでもよい。勿論シャッター５１は液晶プロジェクタ１１内に組み込んでもよい。
【００３８】
また、シャッター５１は、機械式シャッターに限らず、周知の液晶式シャッターによるものであってもよい。液晶式シャッターすることで、モータ等の駆動装置が不要となり、設置スペースの縮小や耐久性・安全性などが高めることができる。
【００３９】
次に、上述した構成の表示装置１の基本的な動作を図５示したタイミングチャートを参照して説明する。
【００４０】
図５に示したように、表示装置１の映像信号／同期信号分離装置４１には１映像周期（例えば１フレーム期間）で映像信号（映像情報）が入力され、その映像信号から同期信号を分離しタイミング制御装置３１に出力する。タイミング制御装置３１は、同期信号から予め定めた期間Ｔ１経過後スクリーン２１を透過状態から散乱状態に変化させる（スクリーンの状態）。この期間Ｔ１は、図１で説明した妨害が発生しない（表示されない）期間に設定されている。詳細は後述する。
【００４１】
スクリーン２１が散乱状態になると、スクリーン２１の透過率が低下する（スクリーンの透過率）。また、スクリーン２１が散乱状態の期間においては、シャッター５１を開状態に制御する（シャッターの開閉動作）。シャッター５１が開状態になると、液晶プロジェクタ１１から出射されるスクリーン２１への投影光がシャッター５１を透過するため、投影される光強度が上昇する（液晶プロジェクタからスクリーンへ投影される光強度）。そして、スクリーン２１に映像が投影されるので、スクリーン２１に表示された映像の明るさが上昇し、観察者は液晶プロジェクタ１１から投影された映像を観察することができる。
【００４２】
一方、タイミング制御装置３１は、スクリーン２１を透過状態にしてから予め定めた期間Ｔ２経過後にスクリーン２１が透過状態にする。この期間Ｔ２は、１映像周期よりも短い期間である。すると、スクリーン２１の透過率が上昇する。また、スクリーン２１を透過状態にしたタイミングでシャッター５１を閉状態にする。すると、液晶プロジェクタ１１から出射されるスクリーン２１への投影光がシャッター５１で遮断されるため、投影される光強度が低下する。そして、スクリーン２１への映像の投影が遮断されるので、スクリーン２１に表示された映像の明るさが低下し、観察者は実体展示物７１をスクリーン２１越しに鮮明に観察することができる。
【００４３】
スクリーン２１は、１映像周期の期間に、透過状態、散乱状態、透過状態といった順序で制御され、それが１映像周期ごとに繰り返される。また、透過状態のときは実体展示物７１を観察することができる。そして、前記した繰り返しは、人間の目にはこの繰り返しは点滅として認識されないで、時間平均（積分）されることによって、スクリーン２１に投影された映像と、スクリーン２１が透過状態時に観察できる実体展示物７１とを、フリッカを感じることなく同時に観察することができる。即ち、スクリーン２１に表示された映像と実体展示物７１とを同時に観察することができる。
【００４４】
次に、上述した期間Ｔ１、Ｔ２と液晶プロジェクタ１１の液晶パネルの情報保持期間とシャッター５１の制御との関係について図６を参照して説明する。
【００４５】
図６は、図２に対してシャッター５１の動作のタイミングチャートを追加した図である。本実施例では、情報保持期間、即ち映像情報書き換えが行われていない期間にシャッター５１を開制御してスクリーン２１に映像を投影させる。そのためにタイミング制御装置３１は、同期信号入力後期間Ｔ１経過後にシャッターを開制御し、開制御から期間Ｔ２経過後に閉制御する。
【００４６】
ここで、同期信号が入力された時刻をｔ１、情報書き換え期間の終了時刻（情報保持期間の開始時刻）をｔ２、期間Ｔ１の終了時刻（期間Ｔ２の開始時刻）をｔ３、期間Ｔ２の終了時刻をｔ４、情報保持期間の終了時刻（次の情報書き換え期間の終了時刻）をｔ５とする。このとき、期間Ｔ１は、その終了時刻ｔ３を情報書き換え期間の終了時刻ｔ２以後とする。また、期間Ｔ２は、その終了時刻ｔ４を情報保持期間の終了時刻ｔ５以前とする。即ち、ｔ２≦ｔ３、ｔ４≦ｔ５の関係となるようにする。
【００４７】
このように期間Ｔ１、Ｔ２を設定することで、情報保持期間内にシャッター５１の開閉をすることができる。即ち、映像同期に関する信号（同期信号）から液晶パネルの映像情報書き換えが終了する時刻（ｔ２）経過後に映像を投影している。したがって、図１に示したような妨害の発生を抑制することができる。
【００４８】
なお、期間Ｔ１は、例えば、実際に動きの速い映像をスクリーン２１に投影し、期間Ｔ１の値を変えながら、１映像周期をシャッタースピードに設定したデジタルカメラなどで投影された画像等に図１に示したような妨害が発生しないことを確認することで決定する。また、液晶プロジェクタ１１から１映像周期を示す同期信号等が出力され、かつ、液晶パネルの書き換え期間が液晶プロジェクタ１１の仕様等から判明している場合は、それらに基づいて期間Ｔ１を設定してもよい。
【００４９】
また、期間Ｔ２は、期間Ｔ１と１映像周期の値から情報保持期間を推定して設定することができる。
【００５０】
上述した動作を図７のフローチャートにまとめる。図７に示したフローチャートはタイミング制御装置３１で実行される。
【００５１】
まず、ステップＳ１１において、１映像周期を示す同期信号（垂直同期信号等）を検出したか否かを判断し、検出した場合（ＹＥＳの場合）はステップＳ１２に進み、タイミング制御装置３１内に設けられているタイマに期間Ｔ１に相当する時間を設定してステップＳ１３に進む。一方、ステップＳ１１で同期信号を検出しない場合（ＮＯの場合）は検出するまでステップＳ１１を繰り返す。
【００５２】
次に、ステップＳ１３において、タイマがタイムアウトしたか否かを判断し、タイムアウトした場合（ＹＥＳの場合）はステップＳ１４に進み、タイミング制御装置３１内に設けられているタイマに期間Ｔ２に相当する時間を設定してステップＳ１５に進む。そして、スクリーン２１を散乱させ（ステップＳ１５）、シャッター５１を開制御させ（ステップＳ１６）、ステップＳ１７に進む。一方、ステップＳ１３でタイムアウトしない場合（ＮＯの場合）はステップＳ１３を繰り返す。つまり、ステップＳ１３で期間Ｔ１の経過を判断している。
【００５３】
次に、ステップＳ１７において、タイマがタイムアウトしたか否かを判断し、タイムアウトした場合（ＹＥＳの場合）はステップＳ１８に進み、スクリーン２１を透過させ（ステップＳ１８）、シャッター５１を開制御させ（ステップＳ１９）、ステップＳ１１に戻る。一方、ステップＳ１７でタイムアウトしない場合（ＮＯの場合）はステップＳ１７を繰り返す。つまり、ステップＳ１７で期間Ｔ２の経過を判断している。以上の説明から明らかなように、このフローチャートが投影光制御工程となっている。
【００５４】
なお、本実施例において、スクリーン２１の散乱状態の期間の長さは情報保持期間内で任意に設定することができる。散乱状態の期間を長くすることで、映像を表示する期間が長くなり、実体展示物７１を観察できる時間が短くなるので、映像の鮮明度が上昇し、実体展示物７１の鮮明度が低下する。また、逆に散乱状態の期間を短くすることで、映像を表示する期間が短くなり、実体展示物７１を観察できる時間が長くなるので、映像の鮮明度が低下し、実体展示物７１の鮮明度が上昇する。
【００５５】
即ち、１映像周期の中で調光部材が透過状態となる時間に対する散乱状態となる時間の比（デューティ）を変更してもよい。デューティを大きくするとスクリーン２１の輝度をさらに明るくすることができる。逆にデューティを小さくすると  実体展示物７１をより鮮明に見せることが可能となり、映像と背景（実体物）の見せ方に演出の幅を広げることができる。なお、このデューティは使用中に変更してもよい。
【００５６】
本実施例によれば、スクリーン２１の透過状態と散乱状態とを切り替え制御を行うタイミング制御装置３１を有している。更に、スクリーン２１に映像を投影する液晶プロジェクタ１１の投影光を、映像の１映像周期より短い時間、散乱状態に同期してスクリーン２１に投影するように制御するシャッター５１と、を有している。そして、シャッター５１は、液晶プロジェクタ１１の液晶パネルの情報保持期間内に、前記スクリーン２１に映像を投影させる。このようにすることにより、情報書き換え期間に投影しないので、動きの速い映像を表示させた場合でも、図１に示したような妨害の発生を抑制して表示品質の低下を緩和することができる。
【００５７】
また、タイミング制御装置３１は、同期信号から情報書き換え期間の経過後に映像を投影している。このようにすることにより、同期信号に基づいて液晶パネルの情報保持期間を特定することができ、例えばタイマ等で容易に映像の投影タイミングを求めることができる。
【００５８】
また、シャッター５１の開閉制御で映像の投影を制御するので、既存の液晶プロジェクタを容易に利用することができる。
【００５９】
なお、上述した実施例では、シャッター５１で液晶プロジェクタ１１の投影の制御を行っていたが、液晶プロジェクタ１１内の光源の点灯を制御することが可能な場合は、液晶パネルの情報保持期間に当該光源を点灯させることで映像の投影を行うようにしてもよい。即ち、液晶パネルの映像情報書き換えが行われていない期間（情報保持期間）に液晶プロジェクタ１１の光源を点灯させるように制御する。
【００６０】
また、近年の液晶プロジェクタ１１においては、１映像期間内に同じ画像を２回液晶パネルに表示させる所謂倍速駆動と呼ばれる動作をするものも提案されている。このような倍速駆動であっても第１の実施例と同様に動作させることで図１に示したような妨害を緩和することができる。
【００６１】
図８に倍速駆動の場合の期間Ｔ１、Ｔ２と液晶プロジェクタ１１の液晶パネルの情報保持期間との関係を示す。図８に示したように、倍速駆動の場合は１映像周期に２回同じ映像情報が書き込まれる。しかしながら、この２回書き込まれる期間は同じ映像情報が書き込まれるので映像情報の変化は無い。したがって、この同じ映像情報が書き込まれる期間は情報保持期間と見做しても図１のような妨害が発生することは無い。よって、倍速駆動の場合でも図６と同様のタイミングで動作させることができる。
【００６２】
即ち、液晶パネルの映像情報書き換えが行われていない期間（情報保持期間）は、同期信号取得部が取得した（タイミング制御装置３１に入力された）映像の同期に関する信号（同期信号）と次の同期信号との間で映像情報が変化しない期間であってもよい。
【００６３】
なお、図８では２倍速で説明したが、４倍速等更に高速に駆動する場合であっても同様である。
【実施例２】
【００６４】
次に、本発明の第２の実施例にかかる表示装置を図９を参照して説明する。なお、前述した第１の実施例と同一部分には、同一符号を付して説明を省略する。
【００６５】
液晶プロジェクタ１１の書き換え期間は、機種によっては非常に長いものもある。書き換え期間が長くなると情報保持期間が相対的に短くなり、第１の実施例のように、情報保持期間内にシャッター５１の開閉動作等を行うことが困難となってしまう場合がある。
【００６６】
そこで本実施例では、この情報保持期間を全て含むようにシャッター５１の開閉期間を定める。図９に一例を示す。図９において、同期信号が入力された時刻をｔ１、期間Ｔ１の終了時刻（期間Ｔ２の開始時刻）をｔ６、情報書き換え期間の終了時刻（情報保持期間の開始時刻）をｔ７、情報保持期間の終了時刻（次の情報書き換え期間の開始時刻）をｔ８、期間Ｔ２の終了時刻をｔ９とする。このとき、期間Ｔ１は、その終了時刻ｔ６を情報書き換え期間の終了時刻をｔ７以前にする。また、期間Ｔ２は、その終了時刻ｔ９を情報保持期間の終了時刻をｔ８以後にする。即ち、ｔ６≦ｔ７≦ｔ８≦ｔ９の関係となるようにする。
【００６７】
このように期間Ｔ１、Ｔ２を設定することで、少なくとも、図１に示したような妨害を画面の上側や下側等に移動させることができ妨害による表示品質の低下を緩和することができる。
【００６８】
なお、動作にかかるフローチャートは図７と同様である。また、タイミング制御装置３１は、随時同期信号が入力されているので、同期信号取得工程は随時実行されている。
【００６９】
本実施例によれば、タイミング制御装置３１が、液晶プロジェクタ１１の液晶パネルの情報保持期間を全て含む期間に、映像を投影する。このようにすることにより、液晶パネルの情報保持期間を全て含むようにすることができる。この場合、情報書き換え期間を投影期間に含む場合があるが、その場合でも、画面の中央周辺に図１に示したような妨害を表示させないようにすることができ、前記妨害を目立たせないようにして表示品質の低下を緩和することができる。
【００７０】
なお、本発明は上記実施例に限定されるものではない。即ち、当業者は、従来公知の知見に従い、本発明の骨子を逸脱しない範囲で種々変形して実施することができる。かかる変形によってもなお本発明の表示制御装置の構成を具備する限り、勿論、本発明の範疇に含まれるものである。
【符号の説明】
【００７１】
１               表示装置
２               表示制御装置
１１             液晶プロジェクタ
２１             スクリーン
３１             タイミング制御装置
４１             映像信号／同期信号分離装置
５１             シャッター
【図１】
2016171367.tif 000003
【図２】
2016171367.tif 000004
【図３】
2016171367.tif 000005
【図４】
2016171367.tif 000006
【図５】
2016171367.tif 000007
【図６】
2016171367.tif 000008
【図７】
2016171367.tif 000009
【図８】
2016171367.tif 000010
【図９】
2016171367.tif 000011